(57)【要約】【課題】  記録再生装置の再生機能に制限を与えることなく、記録された番組を外部接続される記録再生装置にコピーできる番組記録再生装置を提供する。【解決手段】  記録された番組内容を再生した場合に、再生日の時間帯を一週間毎に集計した週間テーブルを第１のテーブル作成手段１０１ｃにより作成し、接続部１１１を介して外部接続される外部装置２、６の接続時間帯を第２のテーブル作成手段１０１ｅにより集計して日毎テーブルを作成し、週間テーブルに基づいて番組内容を再生しなかった場合の第１の時間帯及び第２のテーブル作成手段で作成された日毎テーブルに基づいて外部装置が接続された第２の時間帯を認識手段１０１ｆにより認識し、第１及び第２時間帯が重なる時間帯にコピー転送制御手段１０１ｇにより外部装置に対してコピー転送命令を出力するようにして番組記録再生装置を構成した。【選択図】      図１
2005333431.tif 000002
【特許請求の範囲】
【請求項１】
受信された番組内容を記録再生する第１記録再生部を有する第１の記録再生装置と、前記第１の記録再生装置から転送された前記番組内容を着脱自在の接続部を介して記録再生する第２記録再生部を有する第２の記録再生装置と、からなる番組記録再生装置において、
前記第１の記録再生装置は、制御部を有し、
前記制御部は、
前記第１記録再生部に記録された前記番組内容を再生した再生日のみの時間帯を一週間毎に集計した週間テーブルを作成する第１のテーブル作成手段と、
前記第２の記録再生装置が前記接続部を介して前記第１の記録再生装置に接続される時間帯を日毎に集計した日毎テーブルを作成する第２のテーブル作成手段と、
前記第１のテーブル作成手段で作成された週間テーブルに基づいて前記番組内容を再生しなかった場合の第１の時間帯及び前記第２のテーブル作成手段で作成された日毎テーブルに基づいて、前記接続部が前記第１の記録再生装置と前記第２の記録再生装置とに接続された第２の時間帯を認識する認識手段と、
前記第１及び第２時間帯が重なる時間帯に前記第１記録再生部に記録された番組内容を前記第１の記録再生装置側から前記第２の記録再生装置側にコピー転送命令を出力し、前期第２記録部に記録開始させるコピー転送制御手段と、
からなる番組記録再生装置。
【発明の詳細な説明】
【技術分野】
【０００１】
本発明は、テレビジョン放送を受信して内蔵する記録媒体に記録、再生する、及び外部に接続される携帯型の記録再生装置に記録した信号を記録命令と共に伝送する機能を有する番組記録再生装置に関する。
【背景技術】
【０００２】
最近、外出先でも録画したテレビジョン放送番組を視聴可能な携帯型テレビジョン放送番組再生装置や録画再生装置が開発されている。それらの装置は所望の録画した番組を視聴するように使用されるため、視聴する番組の録画機能に関しても予約機能の簡便さが求められる。例えば、携帯型の記録再生装置で予約録画の制御情報を作成する。携帯型の記録再生装置で可搬型の記録媒体に記録する。そして、前記可搬型の記録媒体を据え置きの記録再生装置に装着することにより、据え置きの記録再生装置により可搬型の記録媒体に記録した番組を外出先で再生している。
【０００３】
特許文献１には、携帯型記録再生装置により制御情報（エージェントデータ）をリムーバブルな記録媒体（ディスクメディア）に記録し、据置型記録再生装置にロードする。据置型記録再生装置はロードされたエージェントデータに基づいて予約録画を行い、内蔵のハードディスクドライバに記録する。記録された録画内容はハードディスクドライバから携帯型記録再生装置のディスクメディアに転送され、記録される。その後据置型記録再生装置では、エージェントデータを基に録画予約され、録画された番組はディスクメディアに記録される。携帯型記録再生装置は据置型記録再生装置で記録した放送番組をリムーバブルな記録媒体に、又は内蔵される記録媒体に記録する。記録された番組を携帯しながら視聴できるようにした記録装置及び携帯端末装置が開示されている。
【０００４】
一方、据置型記録再生装置として、内蔵されるハードディスクの他に、記録可能なＤＶＤ或いは従来のＶＨＳ方式カセットテープ等の記録媒体とを組み合わせたコンビネーション型の記録再生装置も開発されている。そして、ランダムアクセス可能な大容量の記録媒体を有するＨＤＤ（ハードディスクドライブ）内蔵型記録装置は、録画予約が容易であり、さらに記録された番組を携帯型の記録再生装置にコピーするのも容易であるなど携帯型端末装置に対する据置型装置として都合が良い。しかし、大容量のハードディスクを内蔵するハードディスクレコーダの場合、ハードディスクドライブはヘッドクラッシュなどの原因で突然故障する場合がある。好適な装置である一方、手軽に記録、保存される大切なコンテンツに対し常にバックアップ記録を行っておく必要がある。
【０００５】
特許文献２には次の記載がある。放送を受信し記録媒体に蓄積する機能を有する放送受信装置が、放送を受信しファイルサーバに一時的に保存する機能を有するバックアップ装置との間で通信網を介して通信可能としておく。放送受信装置は、ユーザから番組の録画予約の指示を受けた時にその番組を特定するための番組情報を含めたバックアップ要求メッセージを送信する。録画予約された番組の放送前に内部のチューナ等が故障すれば、放送受信装置はバックアップ装置にその旨を示す故障通知メッセージを送信する。バックアップ装置は番組情報で特定される番組を予め録画しておき、故障の通知を受けたときにその番組を放送受信装置に送信する。
【０００６】
ハードディスクを記録媒体として用いるハードディスクレコーダは、放送中の番組を現在から過去に連続的にタイムシフトしながら視聴できるキャッシュ再生や過去に記録を開始した映像信号を、現在記録中の映像信号に追いつくようにして再生できる追っかけ再生などの便利な機能を有している。ハードディスクレコーダは、従来のＶＴＲと同様タイムシフトマシンとして利用される他、上記の携帯用記録媒体に記録するための信号を一時記憶する親機である記録再生装置としての使用もなされるものと考えられる。
【特許文献１】特開２００３−３４８５０８号公報
【特許文献２】特開２００３−８７６９５号公報
【発明の開示】
【発明が解決しようとする課題】
【０００７】
しかしながら、ハードディスクレコーダは追っかけ再生、キャッシュ再生など便利な機能を有しており、使用者が番組を記録するときはもとより視聴のみを行うときにも受信される番組を記録して再生する。そして、外出中に録画した番組を携帯用の記録媒体にコピーするときにはハードディスクは視聴中である以外の番組再生を行う必要がある。しかし、通常のハードディスクレコーダに記録する際の映像信号の圧縮符号化及び記録された信号を再生するときの復号化回路は各々１系統づつしか所有していないため、記録及び再生動作は各々１系統づつしか出来ない。即ち、追っかけ再生をしながら記録内容の携帯用記録媒体へのコピーするなどは出来ないなど、再生機能上の制限がある。ハードディスクに記録される内容のバックアップコピーもハードディスクレコーダの再生機能に影響を与えないようにして実行させる必要がある。
【０００８】
そこで、本発明は、上記のような問題点を解消するためになされたもので、ハードディスクレコーダ、及び携帯用記録再生装置の使用状態を常に監視し、使用者に再生機能の制限を意識させることなく追っかけ再生、キャッシュ再生などの機能を提供させると共に、記録された番組の携帯用記録媒体へのコピー及びハードディスクに記録された番組内容のバックアップコピーを実行することの出来る再生機能の制限を改善する番組記録再生装置を提供することを目的とする。
【課題を解決するための手段】
【０００９】
本願発明における発明は、受信された番組内容を記録再生する第１記録再生部を有する第１の記録再生装置と、前記第１の記録再生装置から転送された前記番組内容を着脱自在の接続部を介して記録再生する第２記録再生部を有する第２の記録再生装置と、からなる番組記録再生装置において、前記第１の記録再生装置は、制御部を有し、前記制御部は、前記第１記録再生部に記録された前記番組内容を再生した再生日のみの時間帯を一週間毎に集計した週間テーブルを作成する第１のテーブル作成手段と、前記第２の記録再生装置が前記接続部を介して前記第１の記録再生装置に接続される時間帯を日毎に集計した日毎テーブルを作成する第２のテーブル作成手段と、前記第１のテーブル作成手段で作成された週間テーブルに基づいて前記番組内容を再生しなかった場合の第１の時間帯及び前記第２のテーブル作成手段で作成された日毎テーブルに基づいて、前記接続部が前記第１の記録再生装置と前記第２の記録再生装置とに接続された第２の時間帯を認識する認識手段と、前記第１及び第２時間帯が重なる時間帯に前記第１記録再生部に記録された番組内容を前記第１の記録再生装置側から前記第２の記録再生装置側にコピー転送命令を出力し、前期第２記録部に記録開始させるコピー転送制御手段と、からなる番組記録再生装置。
【発明の効果】
【００１０】
本発明によれば、第１記録再生部に記録された番組内容を再生した場合のみを、再生日の時間帯を一週間毎に集計した週間テーブルを作成する第１のテーブル作成手段と、第２の記録再生装置が接続部を介して第１の記録再生装置に接続される時間帯を日毎に集計した日毎テーブルを作成する第２のテーブル作成手段と、第１のテーブル作成手段で作成された週間テーブルに基づいて番組内容を再生しなかった場合の第１の時間帯及び第２のテーブル作成手段で作成された日毎テーブルに基づいて第１の記録再生装置と第２の記録再生装置が接続された第２の時間帯を認識する認識手段と、第１及び第２時間帯が重なる時間帯に第１記録再生部に記録された番組内容を第１の記録再生装置側から第２の記録再生装置の第２記録再生部にコピー転送命令を出力するコピー転送制御手段とを備える格別な構成があるので、追っかけ再生やキャッシュ再生を含めた記録した番組を再生する機能を有し、ランダムアクセスが可能な記録媒体に記録した番組を、ユーザに再生機能上の制限を与えることなく、記録した番組信号を外部に接続される外部記録媒体に伝送して記録させることのできる番組記録再生装置を提供することができる。
【発明を実施するための最良の形態】
【００１１】
以下に本発明の実施例に係る番組記録再生装置について図１〜図１２を用いて説明する。
図１は、本発明の第１の実施例に係る番組記録再生システムの概略構成を示したものである。
図２は、本発明の実施例の説明に係るＥＰＧの表示画面例である。
図３は、本発明の第１の実施例に係る録画予約の入力画面例を示したものである。
図４は、本発明の第１の実施例に係る番組予約リストの表示例を示したものである。
図５は、本発明の第１の実施例に係る番組記録再生装置の要部の構成を示したものである。
図６は、本発明の第１の実施例に係る再生時間の集計テーブルの記述例を示したものである。
図７は、本発明の第１の実施例に係る接続時間の集計テーブルの記述例を示したものである。
図８は、本発明の第２の実施例に係る番組記録再生システムの概略構成を示したものである。
図９は、本発明の第２の実施例に係る記録コンテンツリストの表示例を示したものである。
図１０は、本発明の第２の実施の変形例に係る番組記録再生システムの概略構成を示したものである。
図１１は、本発明の第２の実施の変形例に係る番組記録再生装置での表示画面例である。
図１２は、本発明の第２の実施の変形例に係る番組記録再生装置での表示画面例である。
【実施例１】
【００１２】
図１に示す、本発明の第１実施例における番組記録再生装置について、図１〜図７を用いて説明する。
図１に示す放送番組記録再生システムは、制御部１０１、ＲＯＭ（Read Only Memori）１０２、ＲＡＭ（Random Access Memory）１０３、操作部１０４、ＴＶチューナ部１０５、信号処理部１０６、ハードディスクドライブ１０７、メディアドライバ１０８、ディジタルインタフェース（ディジタルＩ／Ｆ）１０９、データバス１１０、データコネクタ１１１、映像出力端子１１２、及び音声出力端子１１３よりなる据置型記録再生装置１と、制御部２０１、ＲＯＭ２０２、ＲＡＭ２０３、操作部２０４、表示部２０５、信号処理部２０６、ハードディスクドライブ２０７、メディアドライバ２０８、ディジタルインタフェース２０９、データバス２１０、データコネクタ２１１、及び音声出力端子２１３よりなる携帯型記録再生装置２とより構成される。
【００１３】
ＴＶチューナ部１０５にはアンテナ８が接続される。データコネクタ１１１とデータコネクタ２１１とはデータケーブル３で接続される。メディアドライバ１０８にはＤＶＤメディア４が挿入される。メディアドライバ２０８にはメモリーカード５が装着される。
制御部１０１は例えばマイクロコンピュータを備えて構成され、据置型記録再生装置１の各機能回路の制御を行う。ＲＯＭ１０２には制御部１０１が実行すべきプログラムや、初期設定データ等が格納される。ＲＡＭ１０３には制御部１０１が各種処理を実行する際に参照するデータや、制御部１０１が処理過程において生成したデータなどが一時記憶される。操作部１０４は例えば据置型記録再生装置１のフロントパネルに設けられる操作スイッチから成り、操作部１０４に対して行われた操作に応じて、制御部１０１は制御対象に対して所要の動作を実行させる。
【００１４】
まず、据置型記録再生装置１の操作部１０４が操作されて、使用者により希望される放送番組が録画予約される。予約時間が到来するときに制御部１０１からはＴＶチューナ部１０５に対して設定された放送の受信命令がデータバス１１０を介して出力される。ＴＶチューナ部１０５ではアンテナ８から入力される信号を受信する。設定されたチャンネルが例えば地上波アナログ放送の場合、ＴＶチューナー部１０５からはアナログビデオ信号とアナログオーディオ信号が出力される。設定されたチャンネルが例えばＢＳデジタル放送の場合、圧縮符号化されたデジタルデータストリームが出力される。
信号処理部１０６では入力された信号がアナログビデオ信号とアナログオーディオ信号の場合は、それらの信号は図示しないアナログ／デジタル変換回路によってデジタル信号に変換された後に、所定の図示しない符号化回路によって圧縮データストリームに変換され、データバス１１０に出力される。入力された信号が圧縮デジタルデータストリームの場合は、そのデータストリーム、或いは必要に応じて制御部１０１により設定された圧縮率のデータストリームに変更され、さらには符号化方式の変更されたデータストリームとして生成され、データバス１１０に出力される。データストリームは制御部１０１からの記録命令により指定されるハードディスクドライブ１０７またはメディアドライバ１０８に装着されるＤＶＤメディア４に記録される。この記録は、携帯型記録再生装置２が据置型記録再生装置１にデータケーブル３を介して接続されていないときにも実行される。
【００１５】
携帯型記録再生装置２が据置型記録再生装置１に接続されたときは、制御部１０１によりディジタルインタフェース１０９を介して接続される携帯型記録再生装置２が検出される。制御部１０１では、据置型記録再生装置１で行われる記録データの視聴、及び他の番組の予約記録等に障害を与えないかを判断する。支障を与えないとされる時刻が到来したときに携帯型記録再生装置２により予約された記録データは携帯型記録再生装置２に伝送される。その時刻が到来したときに、据置型記録再生装置１からは、携帯型記録再生装置２に電源をオンするための命令が送信され、携帯型記録再生装置２では伝送されるデータストリームの記録に係る準備が行われる。制御部２０１では、携帯型記録再生装置２の記録に係る各部の機能がアクティブとされ、準備が完了したときに制御部１０１に対して記録準備完了の信号が伝送される。記録準備完了の信号を受信した制御部１０１ではハードディスクドライブ１０７が再生され、再生して得られたデータストリームはハードディスクドライブ２０７に伝送され、そこに記録される。
【００１６】
ハードディスクドライブ２０７に十分な記録容量が確保できないときに、携帯型記録再生装置２の制御部２０１では据置型記録再生装置１の制御部１０１に対してビットレートを変換したデータストリームの伝送が要求される。または、記録されたと異なる符号化方式により圧縮符号化されたデータストリームの伝送が要求される。その要求を受信した据置型記録再生装置１の制御部１０１では、ハードディスクドライブ１０７を再生して得られるデータストリームば信号処理部１０６に入力され、そこで上記のデータ変換が行われてデータストリームが生成され、そのストリームは携帯型記録再生装置２に伝送される。ハードディスクドライブ１０７に記録された放送番組のデータストリームがハードディスクドライブ２０７に伝送され、記録が終了したときに制御部１０１からは制御部２０１に対して伝送終了に係る信号が伝送される。制御部２０１では記録動作を終了させ、必要に応じて携帯型記録再生装置２の電源をオフとする。
【００１７】
携帯型記録再生装置２が移動され、例えば通勤電車内で操作部２０４が操作されたときには、制御部２０１によりハードディスクドライブ２０７に記録されたデータストリームが再生して得られ、信号処理部２０６では所定の符号化方式により圧縮符号化されたデータストリームが復号される。復号して得られた映像信号は表示部２０５に表示され、音声信号は図示しない内蔵スピーカを、または音声出力端子２１３に接続されるヘッドフォンを発音させる。ここで、メディアドライバ１０８にはＤＶＤメディア４が装着され、必要に応じて装着されるＤＶＤメディア４にデータストリームが記録される。例えばデータ量が少ない番組の場合には、メディアドライバ１０８にメモリーカード５が装着され、データストリームが記録される。データストリームの記録されたメモリーカード５は携帯型記録再生装置２のメディアドライバ２０８に装着され、記録された信号が再生される。
以上、放送番組記録再生システムの構成とその動作について概説した。
【００１８】
次に、携帯型記録再生装置２で再生するための放送番組の、据置型記録再生装置１でなされる予約設定について更に述べる。
図２に、据置型記録再生装置１がディジタル放送を受信して、またはインターネットを介して得た電子番組ガイドの表示例を示す。使用者は操作部１０４や図示しないリーモートコントローラを操作し、録画予約する番組の欄を選択し、決定ボタンを操作する。その操作により予約番組を記録する媒体の指定を要求する。
図３に、番組予約時の表示画面例を示す。
同図において、電子番組ガイドのクイズが選択されたときに、その選択された番組を視聴のみを行う番組として予約するか、据置型記録再生装置１で記録する番組として予約するか、または据置型記録再生装置１での記録後に記録された番組を携帯型記録再生装置２にコピーするかのいずれで記録を行うかを操作により決定する。
【００１９】
図４に、録画予約された情報を基に生成された番組予約リストの表示例を示す。
同図において、左から、予約された日付、曜日、時刻、放送局、番組名、記録先指定、及び優先順位指定を示す。記録先指定は「本体」「外部」及び「本体と外部」の欄よりなる。優先順位指定は「本体優先」及び「外部優先」よりなっている。ここで、「本体」はハードディスクドライブ１０７を指定し、「外部」はハードディスクドライブ２０７を指定する。「本体と外部」を指定したときには、指定された番組はハードディスクドライブ１０７とハードディスクドライブ２０７の両者に記録される。即ち、ハードディスクドライブ１０７に記録された番組はハードディスクドライブ２０７にコピーされた後でも消去されない。
【００２０】
ところで、ディジタル放送の場合には放送内容のコピーが１回のみ認められるコピーワンス方式により放送される場合が有る。その場合は放送された番組の記録を複数の記録媒体に行うことは許されない。従って「本体と外部」による記録先指定はできない。そこで、記録を１つの媒体にのみ行うように指定する。また、他の媒体にコピーする場合は元の媒体に記録されていた番組データを消去する。クイズとドラマは本体と外部の２つのメディアへの記録が指定されいる。それらの場合には、優先順位指定により本体と外部とのどちらを優先して記録するかを優先順位指定により指定する。予め優先順位指定をしておくことにより、録画する番組がコピーワンスの制限付きである場合には、単に「本体と外部」により予約した番組の記録実行が禁止されてしまう、或いは「本体」のみ優先とされて記録される。その場合は、携帯型記録再生装置２にも記録するように設定した番組はハードディスクドライブ２０７に記録されてなく、移動先での再生ができない。録画予約の設定時に優先順位指定を行っておくことにより、例えば携帯型記録再生装置２での記録を優先したいときにハードディスクドライブ２０７への記録を優先するように指定する。その優先順位の指定により、仮に録画予約した番組がコピーワンス制限のある番組である場合であっても、使用者の指定する所望の記録媒体に記録されるため、外出先で希望した番組を視聴できないとなどの不具合を防止することが出来る。
【００２１】
次に、据置型記録再生装置１の記録及び再生動作について述べる。
据置型記録再生装置１はランダムアクセス可能なハードディスク１０７を用いて記録および再生を行っているため、放送中の番組を現在から過去に連続的にタイムシフトしながら視聴できるキャッシュ再生や過去に記録を開始した映像信号を、現在記録中の映像信号に追いつくようにして再生できる追っかけ再生などの便利な機能を有している。それらの機能は、ハードディスクドライブ１０７をデータストリームの２倍以上のデータレートにより記録を行い、その後記録した信号を再生することにより実現している。しかし、通常のハードディスクレコーダは、データストリームを生成するためのエンコーダと、データストリームをデコードするためのデコーダとをそれぞれ１系統づつしか有していないため、２つの映像信号を同時に符号化して記録したり、又は同時に再生したりすることは出来ない。
そこで、据置型記録再生装置１は、使用者が据置型記録再生装置１に記録した番組を再生しない時間帯、及び追っかけ再生などで据置型記録再生装置１の再生機能が用いられていない時間帯にのみ、ハードディスク２０７にコピーすべきデータとして記録された番組データを携帯型記録再生装置２にコピーする。即ち、据置型記録再生装置１は、使用者が据置型記録再生装置１を用いて再生動作を行うことのない時間帯を認識して実行する。
【００２２】
図５に示した、制御部１０１の行う動作の内、再生時間の集計、及び記録したデータを携帯型記録再生装置２にコピーするためのコピー制御を行う回路部の構成を参照して説明する。
制御部１０１は、録画予約時間管理手段１０１ａ、再生動作検出手段１０１ｂ、再生週間テーブル作成手段１０１ｃ、接続状態検出手段１０１ｄ、接続状態週間テーブル作成部１０１ｅ、外部機器コピー時間管理手段１０１ｆ、及び外部機器コピー制御手段１０１ｇよりなっている。
まず、操作部１０４が操作されて図２に示す電子番組表の番組が指定され、図３に示す画面により外部に記録するとして予約された番組情報は録画予約時間管理手段１０１ａにおいて図４に示す番組予約リストが作成され、そのリストを基に外部に記録すべき番組の受信時刻などが管理される。
再生動作検出手段１０１ｂでは、操作部１０４が再生動作に係り操作された時間帯を検出する。再生動作は操作によるチャンネル切換え、音量調整、追っかけ再生における早送り、逆方向再生などの操作時間、及びＣＭ（コマーシャル放送）スキップに係る操作がなされたときの時間帯を再生時間帯として認識する。但し、その集計する時間帯に、電源が投入され、予約された録画番組のために行われるチャンネル切換え動作等は含めないものとする。時間帯の認識は、例えば１０分間に１回でも再生制御に係る操作がなされたときにはその時間帯は再生制御のなされた時間帯であるとして検出する。
再生動作検出手段１０１ｂで検出された再生時間帯に係る情報は再生週間テーブル作成手段１０１ｃに供給され、そこで再生時間帯のデータは曜日毎のデータとして整理される。
図６は、曜日毎に整理された再生時間帯の記述例であり、矢印で示される時間帯が使用者により操作された、即ち放送番組が視聴された、又は録画番組が再生された時間帯である。
【００２３】
次に、使用者と共に外出先から帰宅した携帯型記録再生装置２が据置型記録再生装置１に接続される時間帯の管理について述べる。図１に示す放送番組記録再生システムでは据置型記録再生装置１と携帯型記録再生装置２とは、データコネクタ１１１とデータコネクタ２１１とがデータケーブル３により接続されている。ディジタルインタフェース１０９は接続されてなされる通信の状態から携帯型記録再生装置２が接続されたことを検出する。
ここで、携帯型記録再生装置２の接続は有線であるデータケーブル３により行う他に、例えば家庭内ＬＡＮを用いて無線により結合する方法がある。有線の場合にはデータケーブル３の接続忘れは非接続として検出されるが、無線接続の場合では携帯型記録再生装置２のディジタルインタフェース２０９を、例えば１０分に１回程度アクティブにする機能を備えておけばその時間において接続がなされたとして検出することが出来る。
図７に示す接続時間帯テーブルは、携帯型記録再生装置２の接続時間帯を曜日毎に整理して記述した接続状態に係る週間テーブルの記述例である。
【００２４】
録画予約時間管理手段１０１ａ、再生週間テーブル作成手段１０１ｃ、及び接続状態週間テーブル作成部１０１ｅのそれぞれで作成されたそれぞれのテーブル情報は外部機器コピー時間管理手段１０１ｆに供給される。外部機器コピー時間管理手段１０１ｆでは、携帯型記録再生装置２に記録するとして予約された番組が記録されている場合には、再生週間テーブル作成手段１０１ｃにより据置型記録再生装置１の再生動作が行われていない時間帯であり、且つ接続状態週間テーブル作成部１０１ｅにより携帯型記録再生装置２が据置型記録再生装置１に接続されている時間帯を認識する。その認識された時刻が到来したときに外部機器コピー制御手段１０１ｇに対して、記録された番組を携帯型記録再生装置２に記録するためのコピー制御信号を出力するためのコマンドを発生させる。そのコマンドを受信した携帯型記録再生装置２は図１を用いて説明したようにしてハードディスク１０７に記録された番組信号をハードディスク２０７にコピーする。
なお、接続状態週間テーブル作成部１０１ｅにより携帯型記録再生装置２が据置型記録再生装置１に接続されているとして検出される時間帯は使用者の行動パターンによって与えられるため、接続された場合は例えば使用者が在宅している長い時間に渡って接続が保持される。そのため、コピーの開始時点に接続状態を検出するのみで、その後に行われるコピーデータの転送中に接続が外されるケースは少なく、その場合には接続状態週間テーブル作成部１０１ｅを省いても上述と同様の動作を行える。
【００２５】
以上、据置型記録再生装置１に予約して録画した番組信号を、据置型記録再生装置１の再生動作を妨げることなく、携帯型記録再生装置２にコピーする放送番組記録再生システムの構成とその動作について詳述した。本実施の形態によれば、第１記録再生部に記録された番組内容を再生した場合のみを、再生日の時間帯を一週間毎に集計した週間テーブルを作成する第１のテーブル作成手段と、第２の記録再生装置が接続部を介して第１の記録再生装置に接続される時間帯を日毎に集計した日毎テーブルを作成する第２のテーブル作成手段と、第１のテーブル作成手段で作成された週間テーブルに基づいて番組内容を再生しなかった場合の第１の時間帯及び第２のテーブル作成手段で作成された日毎テーブルに基づいて第１の記録再生装置と第２の記録再生装置が接続された第２の時間帯を認識する認識手段と、第１及び第２時間帯が重なる時間帯に第１記録再生部に記録された番組内容を第１の記録再生装置側から第２の記録再生装置の第２記録再生部にコピー転送命令を出力するコピー転送制御手段とを備える格別な構成があるので、追っかけ再生やキャッシュ再生を含めた記録した番組を再生する機能を有し、ランダムアクセスが可能な記録媒体に記録した番組を、据置型記録再生装置１に対する再生機能上の制限を与えることなく、記録した番組信号を外部に接続される外部記録媒体に伝送して記録させることのできる番組記録再生装置を実現することができる。
さらに、携帯型記録再生装置は通常、持ち運びに便利なように小型軽量であることが望ましいため、携帯型機器にテレビジョン放送を受信するチューナーを搭載するのは実用的でない。また、性能面からも小型のアンテナでテレビジョン放送を感度よく受信することは難しい。それに比し据え置き型装置に、携帯端末に記録したい番組を予約して記録し、記録した番組を携帯端末などにコピーするようにする場合では、携帯端末で品質の良い番組を視聴できる実施例での効果を有している。
【実施例２】
【００２６】
本発明の第２実施例について図８〜図１２を用いて説明する。第１の実施例と同じ機能部分については同一の符号を付し、説明を省く。
第２の実施例は、第１の実施例に比し携帯型記録再生装置２の代わりに外付けハードディスク６がデータケーブル３を介して据置型記録再生装置１に外部接続されている点で異なっている。
その外付けハードディスク（以下外付けＨＤＤと記すことも有る）６は、制御部６０１、ＲＯＭ６０２、ＲＡＭ６０３、ハードディスクドライブ６０７、デジタルインターフェース６０９、データバス６１０、デジタルインターフェースコネクタ６１１から構成される。制御部６０１は外付けＨＤＤ６の各機能ブロックの制御を行う。ＲＯＭ６０２には制御プログラムや、初期設定データ等が格納される。ＲＡＭ６０３には制御動作のために参照するデータや、制御部６０１が生成したデータなどが記憶される。
【００２７】
まず、操作部１０４が操作されバックアップ記録が必要であるとして録画予約された番組はＴＶチューナ部１０５により受信されて、ハードディスクドライブ１０７に記録される。その番組の録画終了後であり、前述の再生動作が検出されない時間帯に、制御部１０１は外付けハードディスク６の電源をＯＮとし、制御部６０１に対してデジタルインターフェースコネクタ６１１から入力される信号をハードディスクドライブ６０７に記録するための動作を要求する。記録準備の完了した制御部６０１は制御部１０１にレディー信号を返信し、制御部１０１はハードディスクドライブ１０７にバックアップが必要として記録された番組を再生し、再生して得られるデータストリームはデータコネクタ１１１から出力される。データストリームの伝送が終了した時点で、制御部１０１からは制御部６０１に記録停止のコマンドが送信され、その後外付けハードディスク６の電源をオフするための制御信号が伝送される。
また、使用者が、操作部１０４を操作して外付けＨＤＤ６に記録された番組の再生を要求したときには、機据置型記録再生装置１の制御部１０１は外付けＨＤＤ６の制御部６０１に番組の再生を要求する。ハードディスクドライブ６０７を再生して得られるデータストリームは信号処理部１０６に供給され、そこで復号された映像信号は映像出力端子１１２から、音声信号は音声出力端子１１３から出力される。
【００２８】
次に、操作部１０４を操作して行うバックアップ記録のための録画予約、および予約された結果を示す記録コンテンツリストについて述べる。
図９に示す記録済みコンテンツリストには、記録した日付、曜日、時刻、データサイズ、放送局名、番組名、及び視聴済みか否かを示す記述欄と、使用者により設定されたバックアップを実行するか否かに係る保存、本体優先、及びバックアップ優先を記述する欄がある。保存欄に○印の付されている番組は消去禁止であることを示している。“保存”の他に“アーカイブ”や“プロテクト”等の表現が使用されても良い。本体優先、及びバックアップ優先の欄には、記録する番組がコピーワンスの制限付きの番組であるときに、どちらの装置に記録するかを示すための欄である。据置型記録再生装置１の制御部１０１は“保存”設定されているコンテンツを“バックアップ”設定がなされている番組であると判断し、外付けＨＤＤ６にバックアップ記録を実行する。録画する番組がコピーワンスの制限付き番組であるときにはバックアップ優先に○印の有る番組のみを外付けＨＤＤ６にバックアップ記録すると共に、据置型記録再生装置１のハードディスクドライブ１０７に記録された番組を消去する。
【００２９】
図１０に示す変形例である放送番組記録再生システム１ａは、図８に示した放送番組記録再生システム１に比し、電源切換部１１５が多く配置されている点で異なっている。据置型記録再生装置１の場合、図８に図示しない電源部から出力される駆動用電流は据置型記録再生装置１を構成する全ての回路部分に供給されている。据置型記録再生装置１ａの電源供給はハードディスクドライブ１０７に電源切換部１１５を介して電源部１１４からの電流が供給される。
放送番組記録再生システム１ａの動作は、まず、制御部１０１は電源部１１４からの電流を電源切換部１１５により切換えられるようにしてハードディスクドライブ１０７に電源が供給される。ハードディスクドライブ１０７の記録媒体にデータを記録又は読み出す際に、例えばヘッドクラッシュによる故障が発生している場合には、所定の記録領域へのアクセスができなくなる。例えば、５回所定の領域へのアクセスを試みてデータの書き込み又は読み出しが出来ないときに、制御部１０１はハードディスクドライブ１０７が故障したと判断する。ハードディスクドライブ１０７を使用禁止にし、外付けＨＤＤ６を使用するか否かを選択する。
【００３０】
図１１に示す表示画面を図示しない表示器に表示する。この表示情報は制御部１０１で作成され、信号処理部１０６で図示しないテレビジョンモニターで表示するための画像信号として生成し、映像出力端子１１２から出力する。使用者は表示画面を基に、操作部１０４の図示しないＭＥＮＵスイッチ又は図示しないリモートコントローラーのＭＥＮＵスイッチを操作する。その操作によりハードディスクドライブ１０７を使用禁止にし、外付けＨＤＤ６を使用するように設定する。或いは、使用者は操作部１０４の図示しない□（四角印＝ストップの意味付けを行うマーク）スイッチ、又は図示しないリモートコントローラーの□スイッチを押して、内蔵ＨＤＤの使用禁止を設定しないように選択し、ハードディスクドライブ１０７を交換するようにしても良い。
ハードディスクドライブ１０７を使用禁止にする場合には、制御部１０１はハードディスクドライブ１０７への書き込み又は読み出し命令を行う代わりに、外付けＨＤＤ６に対して書き込み又は読み出し命令を行うようにし、さらに電源供給切換スイッチ１１５をｏｆｆにして、ハードディスクドライブ１０７への電源供給を遮断し、不要な電力消費を無くする。
ここで、通常のハードディスクドライブ１０７の交換は製造者のサービス部門で行うことになるため、煩雑である。反面、新たに外付けハードディスク６を購入して接続する方が容易であり、経済的にも安価であるなど外付けＨＤＤを用いる方が使用者にとって好適である場合が多い。
【００３１】
次に、外付けハードディスク６が接続されてないときの処理方法について述べる。
図１２に示された、故障したハードディスクの選択に係る表示画面例を基に、使用者は操作部１０４の又は図示しないリモートコントローラーのＭＥＮＵスイッチを押し、ハードディスクドライブ１０７を使用禁止に、又は使用禁止にしない選択を行う。使用者が、ハードディスクドライブ１０７の交換又は修理を行う間は、ハードディスクドライブ１０７を使用禁止とする。制御部１０１はメディアドライバ１０８に対する書き込み及び読み出し制御を行うと共に、電源供給切換部１１５をｏｆｆにし、ハードディスクドライブ１０７への電源供給を遮断し、不要な電力消費を無くす。
【００３２】
以上、第１及び第２の実施例による放送番組記録再生システムの構成とその動作について述べた。それらの装置では、データストリームを記録するための記録媒体が外部に接続されており、据置型記録再生装置で記録された番組を指定された方の記録媒体にコピーするまたは指定された方の記録媒体にデータをムーブするに際し、据置型記録再生装置記録の再生機能が使用されない時間帯を週間再生時間帯テーブルにより認識し、その時間内に行う。なお、据置型記録再生装置は番組の記録と再生は同時に行うことが出来るため、予約された番組を記録している最中であっても外部に接続される記録再生装置へのコピー又はムーブは正常に行える。データのコピー又はムーブのいずれで行うかは、番組データがコピーワンスの制限付きの番組であるか否か、又は据置型記録再生装置の記録媒体の空き容量を検出して指定する。
【産業上の利用可能性】
【００３３】
本発明は、データストリームを複数の媒体に記録可能な放送番組記録再生システムにおいて、第１の記録媒体に記録した番組を携帯型の第２の記録媒体にコピー（ムーブ）して視聴する、またはバックアップを目的とする第２の記録媒体にコピーするようにした番組記録再生装置の実現に適用できる。
【図面の簡単な説明】
【００３４】
【図１】本発明の第１の実施例に係る番組記録再生システムの概略構成を示したものである。
【図２】本発明の実施例の説明に係るＥＰＧの表示画面例である。
【図３】本発明の第１の実施例に係る録画予約の入力画面例を示したものである。
【図４】本発明の第１の実施例に係る番組予約リストの表示例を示したものである。
【図５】本発明の第１の実施例に係る番組記録再生装置の要部の構成を示したものである。
【図６】本発明の第１の実施例に係る再生時間の集計テーブルの記述例を示したものである。
【図７】本発明の第１の実施例に係る接続時間の集計テーブルの記述例を示したものである。
【図８】本発明の第２の実施例に係る番組記録再生システムの概略構成を示したものである。
【図９】本発明の第２の実施例に係る記録コンテンツリストの表示例を示したものである。
【図１０】本発明の第２の実施の変形例に係る番組記録再生システムの概略構成を示したものである。
【図１１】本発明の第２の実施の変形例に係る番組記録再生装置での表示画面例である。
【図１２】本発明の第２の実施の変形例に係る番組記録再生装置での表示画面例である。
【符号の説明】
【００３５】
１    据置型記録再生装置
２    携帯型記録再生装置
３    データケーブル
４    ＤＶＤメディア
５    メモリーカード
６    外付けハードディスク
８    アンテナ
１０１    制御部
１０１ａ    録画予約時間管理手段
１０１ｂ    再生動作検出手段
１０１ｃ    再生週間テーブル作成手段
１０１ｄ    接続状態検出手段
１０１ｅ    接続状態週間テーブル作成部
１０１ｆ    外部機器コピー時間管理手段
１０１ｇ    外部機器コピー制御手段
１０２    ＲＯＭ
１０３    ＲＡＭ
１０４    操作部
１０５    ＴＶチューナ部
１０６    信号処理部
１０７    ハードディスクドライブ
１０８    メディアドライバ
１０９    ディジタルインタフェース
１１０    データバス
１１１    データコネクタ
１１２    映像出力端子
１１３    音声出力端子
１１４    電源部
１１５    電源切換部
２０１    制御部
２０２    ＲＯＭ
２０３    ＲＡＭ
２０４    操作部
２０５    表示部
２０６    信号処理部
２０７    ハードディスクドライブ
２０８    メディアドライバ
２０９    ディジタルインタフェース
２１０    データバス
２１１    データコネクタ
２１３    音声出力端子
６０１    制御部
６０２    ＲＯＭ
６０３    ＲＡＭ
６０７    ハードディスクドライブ
６０９    デジタルインターフェース
６１０    データバス
６１１    デジタルインターフェースコネクタ
【図１】
2005333431.tif 000003
【図２】
2005333431.tif 000004
【図３】
2005333431.tif 000005
【図４】
2005333431.tif 000006
【図５】
2005333431.tif 000007
【図６】
2005333431.tif 000008
【図７】
2005333431.tif 000009
【図８】
2005333431.tif 000010
【図９】
2005333431.tif 000011
【図１０】
2005333431.tif 000012
【図１１】
2005333431.tif 000013
【図１２】
2005333431.tif 000014